(57)【要約】【課題】  ネットワークを介してサーバとの間で映像を共有できる映像機器で、放送受信機能を有するクライアントにアンテナが接続されていない場合、サーバから映像のリストを取り寄せ、この中から所望の映像を選択すれば、ネットワークを介して映像を視聴できるが、該クライアント機器のリモコン等で放送チャンネルを直に選択すると、アンテナが接続されていないために画面には何も表示されない。【解決手段】  クライアント機器の放送受信機能に、アンテナ接続の状態を検出する手段を設け、アンテナが未接続である、と検出した場合は、クライアントのリモコンやデータ放送画面上で放送チャンネルを直に選択されても、クライアントの放送受信機能に切り替えず、ネットワーク接続されたサーバの放送受信機能を遠隔操作して、所望のチャンネルの映像を自動的に取り寄せられるようにする。【選択図】  図１
2008124771.tif 000002
【特許請求の範囲】
【請求項１】
アンテナからの放送受信手段に加えてネットワーク接続された外部の放送受信手段を有する放送受信装置からネットワーク経由で映像を受信する再配信映像受信手段と、
該再配信映像受信手段により受信した映像をユーザに提示する表示手段と、を備えた映像表示装置において、
アンテナ接続の有無またはアンテナで受信した放送信号の品質を確認して放送受信の可否を判定する放送受信検出手段と、
該放送受信検出手段によりアンテナから放送を受信できないこと判定すると、ユーザから受けた選局操作（チャンネル番号など）を自動的にネットワーク経由で前記外部の放送受信装置へ転送するリモート選局手段とを更に備え、アンテナによる放送受信を出来ない場合でも、外部の放送受信装置において受信された放送を視聴できることを特徴とする映像表示装置。
【請求項２】
前記映像表示装置において、ユーザに現在提示している映像が外部の放送受信装置からネットワーク経由で送られていることを通知するために、映像の表示画面にメッセージを表示したりランプなどにより点滅表示したりすることを特徴とする請求項１記載の映像表示装置。
【請求項３】
アンテナからの放送受信手段に加えてネットワーク接続された外部の放送受信手段を有する放送受信装置からネットワーク経由で映像を受信する再配信映像受信手段と、該再配信映像受信手段により受信した映像をユーザに提示する表示手段とを備えた映像表示装置の受信切替え方法であって、
アンテナからの受信状態を検出することによって、受信状態が悪いときは受信状態が良好な外部の放送受信装置をネットワークを介して制御して前記再配信映像受信手段により映像をネットワーク経由で取寄せ表示を行い、受信状態が良いときは自身の放送受信手段により受信した映像を表示するように制御することを特徴とする映像表示装置の受信切替え方法。
【請求項４】
アンテナ接続され該アンテナから放送を受信する放送受信手段と、受信した放送映像をネットワークへ出力する映像再配信手段とを備えた放送受信装置と、アンテナからの放送受信手段に加えて前記放送受信装置とネットワーク接続する手段を備え、前記映像再配信手段により再配信された映像をネットワーク経由で受信するための再配信映像受信手段と、該再配信映像受信手段により受信した映像をユーザに提示する表示手段とを備えた映像表示装置とから成る映像表示システムであって、
前記映像表示装置がアンテナ接続の有無またはアンテナで受信した放送信号の品質を確認して放送受信の可否を判定する放送受信検出手段と、該放送受信検出手段によりアンテナから放送を受信できないこと判定すると、ユーザから受けた選局操作（チャンネル番号など）を自動的にネットワーク経由で前記放送受信装置へ転送するリモート選局手段とを備え、さらに前記放送受信装置が前記リモート選局手段によりネットワーク経由で前記選局操作を受信すると、該放送受信装置に接続されているアンテナで前記選局された放送映像を受信し、受信した放送映像を前記映像再配信手段により前記映像表示装置へネットワークを介して送信することにより、アンテナによる放送受信を出来ない映像表示装置でも、アンテナで受信された放送を視聴できるように構成したことを特徴とする映像表示システム。
【請求項５】
前記映像表示システムにおいて、前記映像表示装置がユーザから受ける選局操作が、リモコン等でチャンネル番号を直に指定して切替え操作、または放送映像として表示画面に埋め込まれたボタン表示の選択による切替え操作であることを特徴とする請求項４記載の映像表示システム。
【発明の詳細な説明】
【技術分野】
【０００１】
本発明は、放送局から電波で送信された映像を受信する受信装置、あるいは該受信機で受信した映像を録画した蓄積装置から、ネットワークを介して前記映像を受信し表示する映像表示装置において、ユーザが選局操作した際の放送受信と番組切替えの技術に関わる。
【背景技術】
【０００２】
放送された映像を大量にハードディスクに蓄積し、ホームネットワークを介して蓄積した映像を再配信して、離れた部屋でも蓄積した映像を楽しむことが出来つつある（例えばリビングにあるハードディスクレコーダに録画された映像を、リビングから離れた書斎のパソコンに呼び出して視聴できる）
このようなコンセプトを具現化するために、映像機器やパソコンに蓄積された映像や音楽等のコンテンツを、ホームネットワークで共有する際に必要となる機器相互接続の標準化がＤＬＮＡ（Ｄｉｇｉｔａｌ Ｌｉｖｉｎｇ Ｎｅｔｗｏｒｋ Ａｌｌｉａｎｃｅ）によって進められている。
ＤＬＮＡでは、ホームネットワークを介して蓄積済みのコンテンツだけでなく、ライブ放送映像や携帯端末との連携などもサポートしている。
【０００３】
ＤＬＮＡの基本的な構成ではコンテンツを蓄積した装置（サーバ）には、映像として例えばＭＰＥＧ−２符号化されたデジタルコンテンツが記憶され、また該映像に関する情報（ジャンルや説明、録画時刻など）も同じく記憶されている。そして上記したように例えばリビングにサーバがあり、書斎にパソコンなど映像を表示するクライアントが置かれるようなシステム構成において、書斎にいるユーザがクライアントを使ってサーバを探して、サーバから前記映像に関する情報をリストにして取り寄せ、クライアントが取り寄せたリストを画面に表示し、ユーザが再生する映像をリストから選択すると、選択された情報がネットワークを介してクライアントからサーバへ送信され、これに応答して指定された映像の符号化コンテンツがサーバからホームネットワーク経由でクライアントに送信され、クライアントは受信したデータを復号化し、蓄積映像としてユーザにこれを提供する。
【０００４】
また、サーバのチューナで受信中のライブ放送をサーバからクライアントへ再配信する場合も、サーバは例えば電子番組表から得られる情報を前記の映像に関する情報として利用し、上記と同様の手順でユーザによってクライアントからリストの問い合わせがあると、サーバは該情報をクライアントへ送信し、ユーザがクライアントの画面上に表示されたリストから所望の番組を指定すると、指定された情報がネットワークを介してクライアントからサーバへ送信され、さらにサーバは指定された番組を受信するようにチューナを制御してチャンネルを変更すると該当する番組の符号化コンテンツを取り出し、これをホームネットワーク経由でクライアントへ送信、後は前述の蓄積された場合と同様にクライアントはホームネットワークを介して受信したデータを復号化し、ライブ映像としてユーザにこれを提供する。
【０００５】
【特許文献１】特開２００４−３６３６５９号公報
【特許文献２】特開２００６−１６６３０３号公報
【非特許文献１】DLNA Home Networked Device Interoperability Guidelines v1.0
【発明の開示】
【発明が解決しようとする課題】
【０００６】
このように、ネットワークを介した相互接続により、ライブ放送も含めて機器間で映像を共有することが可能になりつつある。ここで上記クライアントにはテレビ放送の受信機能を内蔵した映像機器（すなわちチューナを内蔵し、アンテナを接続すればテレビ放送を受信、視聴できる機能を備えた装置）もある。
この様な映像機器ではアンテナを接続していれば、前記のようにネットワーク経由で映像の視聴中であっても、リモコンで映像入力をネットワークからアンテナ入力に切替え、選局操作をすることにより、簡単にライブ放送を視聴することが可能である。
【０００７】
しかし、アンテナを接続していない場合（つまり、ネットワークにだけ接続されている場合）は、前記のようなリモコン操作をすると、受信機能がアンテナからの信号を受けても映像の表示が出来ないため、「受信できません」あるいは「アンテナが接続されていません」などの表示がされ、ライブ放送を視聴することはできない。
本発明が解決しようとする課題は、上記のようにアンテナを接続していない場合でも、ネットワークにさえ接続されていれば、アンテナを接続している場合と同等の使い勝手でライブ放送の視聴が可能である映像表示装置を提供することにある。
【課題を解決するための手段】
【０００８】
上記課題を解決するために、本発明による、アンテナ接続され該アンテナから放送を受信する放送受信手段と、受信した放送映像をネットワークへ出力する映像再配信手段とを備えた放送受信装置と、アンテナからの放送受信手段に加えて放送受信装置とネットワーク接続する手段を備え、映像再配信手段により再配信された映像をネットワーク経由で受信するための再配信映像受信手段と、該再配信映像受信手段により受信した映像をユーザに提示する表示手段とを備えた映像表示装置とから成る映像表示システムにおいて、
前記映像表示装置がアンテナ接続の有無またはアンテナで受信した放送信号の品質を確認して放送受信の可否を判定する放送受信検出手段と、該放送受信検出手段によりアンテナから放送を受信できないこと判定すると、ユーザから受けた選局操作（チャンネル番号など）を自動的にネットワーク経由で放送受信装置へ転送するリモート選局手段とを備え、さらに放送受信装置がリモート選局手段によりネットワーク経由で前記選局操作を受信すると、該放送受信装置に接続されているアンテナで選局された放送映像を受信し、受信した放送映像を映像再配信手段により映像表示装置へネットワークを介して送信することにより、アンテナによる放送受信を出来ない映像表示装置でも、アンテナで受信された放送を視聴できるように構成した。
【０００９】
また、本発明による、映像表示装置において、ユーザに現在提示している映像が外部の放送受信装置からネットワーク経由で送られていることを通知するために、映像の表示画面にメッセージを表示したりランプなどにより点滅表示したりするユーザインターフェース手段を有するように構成した。
【発明の効果】
【００１０】
本発明によれば、自身の放送受信機能とネットワークを経由して他の機器の放送受信機能も利用できる映像表示機器において、自身の放送受信機能を利用できないことを検出すると、自身の放送受信機能に対するユーザの選局操作を、ネットワーク接続された他の放送受信機器へ自動的に転送するので、ユーザはアンテナ接続の有無を気にすることなく、放送視聴を楽しむことが出来る利点がある
【発明を実施するための最良の形態】
【００１１】
アンテナを接続している放送受信装置と、この放送受信装置とネットワークを介して接続された映像表示装置において、特に映像表示装置がアンテナに接続されていなくても放送映像を視聴可能にするという目的を、映像表示装置が直接放送受信することが出来ないことを検出した際に、映像表示装置に対する選局操作をネットワーク接続された放送受信装置へ転送する手法により、ユーザはあたかも映像表示装置にアンテナが接続されているのと同じ使い勝手を享受できることを実現した。
以下、本発明の詳細を図示した各実施例によって説明する。
【実施例１】
【００１２】
図１は、本発明の第一の実施の形態である実施例１に係わる全体の構成図である。本実施例は、アンテナに接続された放送受信装置と、該放送受信装置とホームネットワークで接続された映像表示装置があり、放送受信装置はホームネットワークを介して、ユーザが映像表示装置に対して行うリモコンによる選局操作を受け、該選局操作を元に放送局からアンテナを介して受信するチャンネルを切替え、受信した映像をホームネットワーク経由で映像表示装置へ再配信、映像表示装置は該再配信映像をユーザに対して提示する。
【００１３】
図１において、１はホームネットワーク３に接続された映像表示装置であり、ホームネットワーク経由で受信する映像を表示できる機能と、放送受信装置２と同様にアンテナを接続することにより、放送局６からの映像を直接受信し、表示する機能を備えるが、本実施例ではアンテナが接続されていないと仮定する。２は放送受信装置であり、放送局６から発信された放送波をアンテナ５で受信し、内蔵する選局機能（チューナ部）によりホームネットワーク３を介してユーザ４に指定されたチャンネルの映像を取出し、取出した映像をホームネットワーク３で伝送できるデータ（後述の再配信映像データ７００）に変換して映像表示装置１へ送信する機能を備える。
【００１４】
３はホームネットワークであり、例えばHTTP（Hyper Text Transport Protocol）により映像や制御情報を映像表示装置１と放送受信装置２が送受信するために使われる有線あるいは無線の伝送媒体である（本実施例では宅内を想定しているため、ホームネットワークとしているが、実施形態として宅内と宅外、あるいは離れた家同士のネットワークであることを除外はしない）。４は映像表示装置１で映像の視聴を楽しんでいるユーザであり、ユーザはリモコン７を使って映像の選択をできる。５は放送受信装置２が放送映像を受信するためのアンテナ、６は放送局、７はユーザ４が映像の選択に使用するリモコンである。
【００１５】
図２において、１０１は映像を表示する映像表示部、１０２は映像データ７０４あるいは選局映像データ７０３を映像表示部１０１で表示できる映像信号７０５へ変換する映像デコード部、１０３はアンテナを接続されたとき放送局が発信した放送波から選局情報７０２で指定されたチャンネルの映像を取出し、これを選局映像データ７０３として映像デコード部１０２へ出力する機能と、アンテナから受信した放送波の状態を判定し、アンテナ接続の有無あるいは信号品質の良否を示す放送受信検出信号６００を選局制御部１０５へ出力する機能を備えたチューナ部（ただし前述したように、本実施例において映像表示装置１にはアンテナは未接続である）、１０４はホームネットワーク３を介して放送受信装置２から後述の再配信映像データ７００を受信し、またリモート選局情報７０１を送信するためのネットワークインターフェース部、１０５は放送受信検出信号６００を受けて、該信号がアンテナ接続されていることを示すときは、後述のユーザインターフェース１０６から受けた選局情報７０２をチューナ部１０３へ出力し、逆にアンテナが未接続あるいは信号品質が低いことが前記信号示した場合は、チューナ部１０３で受信する代わりに、ネットワークインターフェース部１０４とホームネットワーク３を介して接続された放送受信装置２のチューナ部２０１を遠隔操作し映像データを得るために、選局情報７０２に後述のデータ形式情報１０８を付加したリモート選局情報７０１をネットワークインターフェース部へ出力する選局制御部である。
【００１６】
１０６はユーザ４が操作するリモコン７の信号を受付け、選局情報７０２を選局制御部１０５へ出力するユーザインターフェース部、１０７は放送受信装置２において受信された映像データ７０７を、ホームネットワーク３を介して映像表示装置１へ伝送するために後述の映像再配信制御部２０３で再配信映像データ７００に変換された映像を、映像デコード部１０２で処理できる映像データ７０４（もとの映像データ７０７と同等）へ再変換する再配信映像受信部である。
７０８はホームネットワーク３を介して放送受信装置２から受信する映像データから、前述の映像デコード部１０２で処理できる映像データ７０４を取出せるようにするために、ネットワーク上のプロトコルや映像データの符号化方式などの情報を放送受信装置２へ通知するためにリモート選局情報７０１に付加されるデータ形式情報である。
【００１７】
図３において、２０１はアンテナ５で受信した放送波から指定されたチャンネルを取出すチューナ部、２０２は映像表示装置１とホームネットワーク３を介して接続するためのネットワークインターフェース部で、前述のネットワークインターフェース１０３と対を成す機能を有する。２０３はチューナ部２０１が出力する映像データ７０７をネットワークインターフェース部２０２を介して映像表示装置１へ送信するために再配信映像データ７００へ変換する映像再配信制御部で、変換は前述のリモート選局情報７０１に付加されたデータ形式情報７０８を参照して実行される。２０４は前述の選局制御部１０５でリモート選局情報７０１へ変換された情報をチューナ部２０１での選局処理に使う選局情報７０６（選局情報７０２と同等の情報）へ再変換するリモート選局制御部である。
【００１８】
図４は本実施例において、映像表示装置１に対してユーザ４がリモコン７を使って選局操作（図では天気予報のチャンネルを選択）した場合、映像表示装置１がアンテナに接続されていないので選局操作の結果表示された映像は、実は放送受信装置２で受信された映像をホームネットワーク３経由で受信、表示していること示すメッセージを一時的に表示し、ユーザ４にリモートで受信操作をしていることを通知している画面の例である。
【００１９】
図５は本実施例のシーケンスを補足説明する図である。
以下、本発明の実施の形態について図１から図５を用いて説明する。
図１に示すように、アンテナに接続された放送受信装置２と、アンテナには未接続の映像表示装置１がホームネットワーク３で接続され、今ユーザ４はリモコン７で映像表示装置１を操作して放送映像を視聴しようとしている。この様子を、図５のシーケンス図を用いて説明する。なお、以下で（Ｓ１）から（Ｓ８）は図５のシーケンスのステップを示している。なお、本実施例では、映像表示装置１と放送受信装置２は既にお互いを発見し、ネットワーク接続処理が完了している状態と仮定する。
【００２０】
まず、ユーザ４が映像表示装置１の電源を投入（Ｓ１）、次いでユーザ４がリモコン７で放送チャンネルの選局操作を行い、ユーザインターフェース部１０６が選局情報７０２を選局制御部１０５へ出力（Ｓ２）。選局情報７０２を受けた選局制御部１０５は、該選局された放送を自身のアンテナで受信することが可能か否かをチューナ部１０３から出力される放送受信検出信号６００で確認する。すると本実施例では、アンテナは未接続なので放送受信検出信号６００はアンテナが接続されていないことを示している（Ｓ３）。そのため、選局制御部１０５は、先に受け取った選局情報７０２をホームネットワーク３で接続された放送受信装置２へ自動的に送信し、遠隔操作による放送受信を実行する。
【００２１】
この際、選局情報７０２は元々自身のチューナ１０３で選局処理をする目的で用意された情報（例えば情報には選局チャンネルの番号しか含まれない）なので、この情報をそのままホームネットワーク３を介して放送受信装置２へ送信しても、所望の映像を受け取るためには情報が不足している（例えば、映像伝送の際のプロトコルの種類や映像デコード部１０２が映像信号７０５に変換可能なデータ形式などの情報）。そこで、本実施例では選局制御部１０５において、選局情報７０２をリモート選局情報７０１へ変換する際、データ形式情報７０８を付加している（付加する具体的な例としては、例えばＤＬＮＡで示されているチューナのリモート選局や配信手順を利用できる）（Ｓ４）。
【００２２】
次いで前述の放送受信装置２はホームネットワーク３とネットワークインターフェース部２０２を介してリモート選局情報７０１を受信すると、これをリモート選局制御部２０４にて選局情報７０６へ再変換し、チューナ部２０１へ出力する（Ｓ５）。するとチューナ部２０１はアンテナ５で受信した放送波から選局情報７０６で指定されたチャンネルの映像を取出し、これを映像データ７０７として映像再配信制御部２０３へ出力する。映像再配信制御部２０３は映像データ７０７を前述したデータ形式情報７０８に従って再配信映像データ７００に変換および、変換したデータを指定されたプロトコル等によってネットワークインターフェース部２０２へ出力する（Ｓ６）。
そして、映像表示装置１はホームネットワーク３を介して再配信映像データ７００を受信すると、これを再配信映像受信部１０７に入力し、映像データ７０４を復元し、さらにこれを映像デコード部１０２へ入力することで映像信号７０５を得て、最後にこの映像信号７０５を映像表示部１０１にてリモコン７で指示された放送映像を表示する（Ｓ７）。
【００２３】
以上のようにして本実施例によれば、ユーザが操作する表示装置がアンテナに接続されていなくても、アンテナを接続された受信端末をネットワークを介して接続することによって、あたかもアンテナが接続されていない表示装置でもアンテナが付いているのと同じ使い勝手を得られる。
【００２４】
なお、図５および図４に示すように、放送映像をホームネットワーク３越しに接続した放送受信装置２からリモートで受信していることをユーザ４へ提示する（Ｓ８）ことにより、ユーザは視聴に利用している装置のチューナは現在利用できない状態にあることを認識して視聴できるので、放送受信装置２側で何らかの事情（例えば、リモート受信用に貸し出すリソースが不足した）により放送映像をホームネットワーク経由で送信できなくなり、映像表示装置１での映像表示が途絶えたとしても、ユーザ４の混乱を必要最小限にとどめることが可能になる。
【実施例２】
【００２５】
図６は、本発明の第二の実施の形態である実施例２に係わる映像表示部１０１に表示された画面である。本実施例では、映像表示装置１において実施例１の手順と同様に、まず放送受信装置２から放送映像をネットワーク経由で受信し表示した後、画面がデータ放送画面に切り替り、天気予報にかかわる各種のメニューの選択をカーソルの上下移動択できるとともに、本天気予報の画面から異なる番組へジャンプするための選択ボタン（図６では下段の３つのボタン）を備えている。
【００２６】
データ放送画面を構成する画面は、日本国内ではデジタル放送向けにARIB(社団法人電波産業会)によって策定された、XML(eXtensible Markup Language）ベースのデータ放送向けのページ記述言語＝BML（Broadcast Markup Language）として規格化されており、同規格に対応した機能を搭載した表示機器はリモコンに「青」「赤」「緑」「黄」の４色ボタンを有しており、画面に表示するアプリケーションに応じてクイズ問題回答用のボタン、他の放送チャンネルへの切替えをワンタッチで選択するためのボタンとして利用される。本実施例は、上記の後者の使い方に該当する。
【００２７】
図７は、本発明の実施例２に係わる映像表示装置１の構成図である。７０９は選択色情報で、上記したようにリモコン７に設けられた４色のボタンのいずれをユーザ４が押下したのか示している。また７１０はブラウザ処理部であり、ここではBMLに沿って記述されたデータ放送画面に表示されたカーソルの上下左右への移動、選択、決定、取消しなどデータ放送画面にかかわるユーザインターフェース部１０６から入力された操作を処理する。例えば、図６にある「青」ボタンを押下した場合、BMLによって青ボタンの画面上の表示は「レジャー番組」、切替え先のチャンネルは「１１１」と記述されている。
【００２８】
同様に赤ボタンは「クイズ番組」で「チャンネル２２２」、また緑ボタンは「ニュース番組」で「チャンネル３３３」と記述されている。よってもしユーザ４が図６のデータ放送画面が表示されているときに青ボタンを押すと、選択色情報７０９は「青」、ブラウザ処理部７１０はBMLの記述と照らし合わせて選局情報Ｂ７１１としてチャンネル１１１を選局制御部１０５へ出力することになる。
なお、実施例１と同じ符号の説明は割愛する。
【００２９】
以下、本発明の実施の形態について図６と図７を用いて説明する。
本実施例においても実施例１と同じく、映像表示装置１のアンテナが未接続であることから、映像表示装置１は放送受信装置２に対して、ユーザ４が表示を要求したチャンネルの映像を、アンテナで受信し、該映像をホームネットワーク３を介して映像表示装置１へ送信するように要求する。その結果、前述の通り、映像表示部１０１には図６に示す天気予報の画面が表示されている。
【００３０】
そして、ユーザ４が例えば緑ボタンを押下すると、前述のようにユーザインターフェース部１０６とブラウザ処理部７１０によって選局情報Ｂ７１１としてチャンネル３３３が選局制御部１０５へ入力され、選局制御部１０５は放送受信検出部６００がアンテナ未接続を示していることから、前記チャンネル３３３をリモート選局情報７０１に変換して、これをネットワークインターフェース部１０４とホームネットワーク３を介して放送受信装置２へ送信、チャンネル３３３を受信した放送受信装置２は実施例１と同様にして指定されたチャンネルにチューナを合わせ、得られた映像をホームネットワーク３を介して映像表示装置１へ送信、映像表示部１は再配信映像受信部１０７と映像デコード部１０２を経て映像表示部１０１に「ニュース番組」を表示することになる。
【００３１】
以上のようにして本実施例によれば、ユーザが操作するリモコン上にあるチャンネルボタンで直に指定されるチャンネルだけでなく、データ放送画面のように画面上で切替先チャンネルを選択するような使い方においても、アンテナが接続されていない表示装置をあたかもアンテナが付いているのと同じ使い勝手で利用できる。
なお、図示はしないが、もし複数の放送受信装置がホームネットワーク上にある場合は、ユーザ４にそれらのうちの１つを選択させるようにユーザインターフェースで提示してもよいし、発見した順番あるいは予めペアリングをしておき常に特定の放送受信装置と映像表示装置が組となるように制御しても良い。
また、上記のように予めペアリングされているような場合は、映像表示装置の電源をＯＮすると自動的に放送受信装置の電源もホームネットワーク越しにＯＮするようにしてもよい。
さらに、上記ＯＮする条件にアンテナが未接続、または受信品質が一定以下になっているといった条件を加え、受信品質が良い放送受信装置の電源をＯＮするようにしてもよい。
【産業上の利用可能性】
【００３２】
放送を受信する機器において、ネットワーク越しに映像を送受信できるパソコン、レコーダなどテレビ以外の機器との連携に対して、同じ原理での適用が可能である。
【図面の簡単な説明】
【００３３】
【図１】本発明の実施例１に係わるシステム構成の概要。
【図２】本発明の実施例１に係わる映像表示装置の詳細ブロック図。
【図３】本発明の実施例１に係わる放送受信装置の詳細ブロック図。
【図４】本発明の実施例１に係わる表示画面の例。
【図５】本発明の実施例１に係わる処理フロー図。
【図６】本発明の実施例２に係わる表示画面の例。
【図７】本発明の実施例２に係わる映像表示装置の詳細ブロック図。
【符号の説明】
【００３４】
１  映像表示装置
２  放送受信装置
３  ホームネットワーク
４  ユーザ
５  アンテナ
６  放送局
７  リモコン
１０１  映像表示部
１０２  映像デコード部
１０３  チューナ部
１０４  ネットワークインターフェース
１０５  選局制御部
１０６  ユーザインターフェース部
１０７  再配信映像受信部
２０１  チューナ部
２０２  ネットワークインターフェース部
２０３  映像再配信制御部
２０４  リモート選局制御部
６００  放送受信検出信号
７００  再配信映像データ
７０１  リモート選局情報
７０２  選局情報
７０３  選局映像データ
７０４  映像データ
７０５  映像信号
７０６  選局情報
７０７  映像データ
７０８  データ形式情報
７０９  選択色情報
７１０  ブラウザ処理部
７１１  選択情報Ｂ
【図１】
2008124771.tif 000003
【図２】
2008124771.tif 000004
【図３】
2008124771.tif 000005
【図４】
2008124771.tif 000006
【図５】
2008124771.tif 000007
【図６】
2008124771.tif 000008
【図７】
2008124771.tif 000009